(57)【要約】  ストレーナに残留した異物を容易に除去できる、ダブルストレーナ型濾過機を提供する。  濾過機１０は、上流側弁体３と下流側弁体４を同期して移動させる状態、又は、上流側弁体３と下流側弁体４を互いに独立して移動させる状態に切り換え可能に、第１ねじ送り機構Ｍｓと第２ねじ送り機構２Ｍｓの間に配置された切り換え機構５を備え、上流側弁体３と下流側弁体４を互いに独立して移動させる状態では、一方の濾過室Ｒａの流入口１Ｋａを閉鎖し、一方の濾過室Ｒａの流出口２Ｋａを部分的に開放し、他方の濾過室Ｒｂの流出口２Ｋｂから流体を一方の濾過室Ｒａに流入させることで、一方の濾過室Ｒａに配置されたストレーナ２を逆洗できる。これにより、ストレーナ２をケーシング１から取り外すことなく洗浄できる。
2020021708.tif 000002
【特許請求の範囲】
【請求項１】
流体を上流側から導水可能に一端部を開口し、流体を下流側へ流出容易に他端部を開口し、隔壁で仕切った一対の濾過室を並列状態で内部に形成したケーシングと、
前記濾過室の内部に配置され、上流側から流体を濾過して下流側に流出させるストレーナと、
一対の前記濾過室の流入口を択一的に閉鎖又は開放でき、一対の前記濾過室の流入口の間を移動自在な上流側弁体と、
一対の前記濾過室の流出口を択一的に閉鎖又は開放でき、一対の前記濾過室の流出口の間を移動自在な下流側弁体と、
前記上流側弁体を移動させる第１ねじ送り機構と、
前記下流側弁体を移動させる第２ねじ送り機構と、
前記上流側弁体と前記下流側弁体を同期して移動させる状態、又は、前記上流側弁体と前記下流側弁体を互いに独立して移動させる状態に切り換え可能に、前記第１ねじ送り機構と前記第２ねじ送り機構の間に配置された切り換え機構と、
一対の濾過室の底部に配置された一組の排水管と、
前記排水管の経路途上に配置され、前記濾過室から流体を排出する状態と前記濾過室から流体を排出することを阻止する状態とに開閉できる仕切り弁と、を備え、
前記上流側弁体と下流側弁体を互いに独立して移動させる状態では、一方の前記濾過室の流入口を閉鎖し、一方の前記濾過室の流出口を部分的に開放し、他方の前記濾過室の流出口から流体を一方の前記濾過室に流入させることで、一方の前記濾過室に配置された前記ストレーナを逆洗できる、ダブルストレーナ型濾過機。
【請求項２】
前記ストレーナを逆洗している一方の前記濾過室は、一方の前記排水管の仕切り弁を開き、
前記ストレーナを通水している他方の前記濾過室は、他方の前記排水管の仕切り弁を閉じている、請求項１記載のダブルストレーナ型濾過機。
【請求項３】
前記排水管から排出された流体に含まれる異物のみを回収できる回収籠を前記排水管の先端部に配置している、請求項１又は２記載のダブルストレーナ型濾過機。
【請求項４】
前記ストレーナは、
上面に開口し、流体を導水する導水開口と、
外周を形成し、流体に含まれる異物を捕集する金網と、
底面を形成する多孔板と、
前記多孔板の底部の下方に配置され、前記多孔板の中央開口と対向している受皿と、を有している、請求項１から３のいずれかに記載のダブルストレーナ型濾過機。
【発明の詳細な説明】
【技術分野】
【０００１】
本発明は、ダブルストレーナ型濾過機に関する。特に、隔壁を介して、一組のストレーナをケーシングの内部に並列配置したダブルストレーナ型濾過機の構造に関する。
【背景技術】
【０００２】
例えば、火力発電所では、復水器の内部に配置した複数の冷却管を冷却するために、多量の海水又は河川水を利用している。ところで、海水又は河川水には、貝類、藻類など種々の異物が含まれているため、海水など冷却水の取水系統には、濾過機を設けてこれらの異物を捕集している。【０００３】
このような濾過機は、一般に、濾し網からなるストレーナをケーシングの内部に配置し、ストレーナに通水することで、異物を除去する方式のものが用いられている。しかし、このような濾過機を長期間、稼働していると、ストレーナが異物で目詰まり、又は、異物がストレーナの内部に滞留することで、復水器への送水能力が低下することがある。これにより、火力発電所の稼働が停滞する事態もあり得る。【０００４】
ところで、火力発電所は、常時稼働を必要とされているので、一組のストレーナを濾過機の内部に配置し、一方のストレーナで異物を濾過しているときは、他方のストレーナを整備できる、二重系統方式のダブルストレーナ型濾過機が開示されている（例えば、特許文献１参照）。
【先行技術文献】
【特許文献】
【０００５】
【特許文献１】実開昭５２−５７３７８号公報
【発明の概要】
【発明が解決しようとする課題】
【０００６】
図１０は、従来技術によるダブルストレーナ型濾過機の構成を示す平面図であり、要部を横断面図で示している。図１１は、従来技術によるダブルストレーナ型濾過機の構成を示す左側面図であり、要部を縦断面図で示している。図１２は、従来技術によるダブルストレーナ型濾過機の構成を示す正面図である。なお、本願の図１０から図１２は、特許文献１の第１図から第３図に相当している。【０００７】
図１０から図１２を参照すると、従来技術によるダブルストレーナ型濾過機（以下、濾過機と略称する）９は、ケーシング１と一対の截頭円筒状のストレーナ８・８を備えている。ケーシング１は、ケーシング本体１１、上流側ボンネット１２、及び、下流側ボンネット１３を含んでいる。又、ケーシング１は、一対の円盤状のトップカバー１４ａ・１４ｂと一対の円筒状のボトムカバー１５ａ・１５ｂを含んでいる。【０００８】
図１０又は図１１を参照すると、ケーシング本体１１は、隔壁Ｂｈで仕切った一対の濾過室Ｒａ・Ｒｂを並列状態で内部に形成している。そして、これらの濾過室Ｒａ・Ｒｂには、ストレーナ８・８を設置している。【０００９】
図１０又は図１１を参照すると、上流側ボンネット１２は、ケーシング本体１１の一方の端面に取り付けられている。上流側ボンネット１２は、上流Ｓｕ側から流通する海水などの流体を導水容易に、内部を開口している。そして、上流側ボンネット１２は、上流Ｓｕ側から導水した流体を濾過室Ｒａ又は濾過室Ｒｂに流通している。【００１０】
図１０から図１２を参照すると、下流側ボンネット１３は、ケーシング本体１１の他方の端面に取り付けている。下流側ボンネット１３は、濾過室Ｒａ又は濾過室Ｒｂから流通する海水などの流体を流出容易に、内部を開口している。そして、下流側ボンネット１３は、濾過室Ｒａ又は濾過室Ｒｂから流通した流体が異物を捕集された状態で流体を下流Ｓｄ側に流出できる。【００１１】
図１０から図１２を参照すると、一対のトップカバー１４ａ・１４ｂは、ケーシング本体１１の上面に着脱自在に固定されている。一方のトップカバー１４ａは、濾過室Ｒａの上部の開口を密閉している。一方のトップカバー１４ａをケーシング本体１１から取り外すと、濾過室Ｒａに設置したストレーナ８を取り出すことができる。そして、ストレーナ８に残留した異物を除去できる。【００１２】
図１０から図１２を参照すると、他方のトップカバー１４ｂは、濾過室Ｒｂの上部の開口を密閉している。他方のトップカバー１４ｂをケーシング本体１１から取り外すと、濾過室Ｒｂに設置したストレーナ８を取り出すことができる。そして、ストレーナ８に残留した異物を除去できる。なお、トップカバー１４ａとトップカバー１４ｂは、同じものであるが、説明の便宜上、符号を変えて区別した。【００１３】
図１１又は図１２を参照すると、一対のボトムカバー１５ａ・１５ｂは、ケーシング本体１１の底面に固定されている。一対のボトムカバー１５ａ・１５ｂは、濾過室Ｒａ・Ｒｂの一部を構成している。一対のボトムカバー１５ａ・１５ｂは、底板１５１を底部にそれぞれ取り付けている。【００１４】
図１１又は図１２を参照して、一方の底板１５１をボトムカバー１５ａから取り外すと、濾過室Ｒａの底部に滞留した貝類、藻類などの異物を流体と共に、排出口１５ｖから排出できる。他方の底板１５１をボトムカバー１５ｂから取り外すと、濾過室Ｒｂの底部に滞留した貝類、藻類などの異物を流体と共に、排出口１５ｖから排出できる。【００１５】
又、図１１又は図１２を参照すると、一対のボトムカバー１５ａ・１５ｂは、一組のスタンド１７・１７をそれらの外周に固定している。アンカーボルトを用いて、これらのスタンド１７・１７を設置面に固定することで、濾過機９を設置面に支持できる。【００１６】
図１１又は図１２を参照すると、濾過機９は、連通菅１６を備えている。連通菅１６は、ボトムカバー１５ａとボトムカバー１５ｂを連通している。連通菅１６の経路上には、仕切り弁１６ｖを設けている。仕切り弁１６ｖを開くと、濾過室Ｒａの流体と濾過室Ｒｂの流体を相互に流通できる。仕切り弁１６ｖを閉じると、濾過室Ｒａの流体と濾過室Ｒｂの流体の流通を遮断できる。【００１７】
図１０又は図１１を参照すると、濾過機９は、上流側弁体３と下流側弁体４を更に備えている。上流側弁体３は、上流側ボンネット１２とケーシング本体１１の一方の端面の間に配置されている。上流側弁体３は、後述する第１ねじ送り機構１Ｍｓにより、濾過室Ｒａと濾過室Ｒｂの間を往復動可能に配置されている。下流側弁体４は、下流側ボンネット１３とケーシング本体１１の他方の端面の間に配置されている。下流側弁体４は、後述する第２ねじ送り機構２Ｍｓにより、濾過室Ｒａと濾過室Ｒｂの間を往復動可能に配置されている。【００１８】
図１０又は図１１を参照して、上流側弁体３が濾過室Ｒｂ側に移動した状態では、上流側弁体３が濾過室Ｒｂの流入口１Ｋｂを閉鎖することで、上流Ｓｕ側から流通する流体が濾過室Ｒｂに流入することを阻止できる。上流側弁体３が濾過室Ｒｂ側に移動した状態では、上流側弁体３が濾過室Ｒａの流入口１Ｋａを開放することで、上流Ｓｕ側から流通する流体を濾過室Ｒａに流入できる。【００１９】
図１０又は図１１を参照して、上流側弁体３が濾過室Ｒａ側に移動した状態では、上流側弁体３が濾過室Ｒｂの流入口１Ｋｂを開放でき、上流側弁体３が濾過室Ｒａの流入口１Ｋａを閉鎖できる。【００２０】
図１０又は図１１を参照して、下流側弁体４が濾過室Ｒｂ側に移動した状態では、下流側弁体４が濾過室Ｒｂの流出口２Ｋｂを閉鎖することで、濾過室Ｒｂに収容した流体が下流Ｓｄ側に流出することを阻止できる。下流側弁体４が濾過室Ｒｂ側に移動した状態では、下流側弁体４が濾過室Ｒａの流出口２Ｋａを開放することで、濾過室Ｒａを介して、上流Ｓｕ側から流通する流体を下流Ｓｄ側に流出できる。【００２１】
図１０又は図１１を参照して、下流側弁体４が濾過室Ｒａ側に移動した状態では、下流側弁体４が濾過室Ｒｂの流出口２Ｋａを開放でき、下流側弁体４が濾過室Ｒａの流出口２Ｋａを閉鎖できる。【００２２】
又、図１０から図１２を参照すると、濾過機９は、第１ねじ送り機構１Ｍｓと第２ねじ送り機構２Ｍｓを備えている。第１ねじ送り機構１Ｍｓは、濾過室Ｒａと濾過室Ｒｂの間で、上流側弁体３を往復動できる。第２ねじ送り機構２Ｍｓは、濾過室Ｒａと濾過室Ｒｂの間で、下流側弁体４を往復動できる。【００２３】
なお、第１ねじ送り機構１Ｍｓと第２ねじ送り機構２Ｍｓは、同様に構成しているので、第２ねじ送り機構２Ｍｓを代表して、ねじ送り機構の構成を主に説明する。【００２４】
図１０から図１２を参照すると、第２ねじ送り機構２Ｍｓは、送りねじＳｆ、歯車箱Ｂｇ、及び、ハンドルＨｄを備えている。送りねじＳｆは、その両端部が下流側ボンネット１３に回転自在に保持されている。又、送りねじＳｆは、下流側弁体４の背面側に突出した雌ねじ部４１と螺合している。送りねじＳｆを回転すると、下流側弁体４を送りねじＳｆに沿って移動できる。【００２５】
図１０から図１２を参照すると、送りねじＳｆは、その両端部が上流側ボンネット１２に回転自在に保持されている。又、送りねじＳｆは、上流側弁体３の背面側に突出した雌ねじ部３１と螺合している。送りねじＳｆを回転すると、上流側弁体３を送りねじＳｆに沿って移動できる。【００２６】
図１０から図１２を参照すると、歯車箱Ｂｇは、互いに噛み合う一組のベベルギア（図示せず）を内部に備えている。一方のベベルギア（図示せず）は、ハンドルＨｄの中心軸に固定されている。他方のベベルギア（図示せず）は、送りねじＳｆの延長軸に固定されている。図示しない一対のベベルギアは、ハンドルＨｄの回転を送りねじＳｆに伝動できる。【００２７】
図１０を参照すると、濾過機９は、連接棒Ｒｃを更に備えている。連接棒Ｒｃは、一組の歯車箱Ｂｇ・Ｂｇの間に配置されている。連接棒Ｒｃは、一方のハンドルＨｄの回転を他方のハンドルＨｄに伝動できる。【００２８】
図１０に示した状態から、一方のハンドルＨｄを一方の方向に回転すると、上流側弁体３と下流側弁体４を連動して、濾過室Ｒａ側に移動できる。そして、濾過室Ｒａの両端部の開口を閉鎖できる。一方、上流側弁体３と下流側弁体４が濾過室Ｒａの両端部の開口を閉鎖した状態から、一方のハンドルＨｄを他方の方向に回転すると、上流側弁体３と下流側弁体４を連動して、濾過室Ｒｂ側に移動できる。そして、濾過室Ｒｂの両端部の開口を閉鎖できる。【００２９】
このように、濾過機９は、一方のハンドルＨｄ又は他方のハンドルＨｄを正転又は逆転することで、上流側弁体３と下流側弁体４が連動して移動し、濾過室Ｒａ又は濾過室Ｒｂの流入口１Ｋａ・１Ｋｂと流出口２Ｋａ・２Ｋｂを択一的に開閉できる。【００３０】
図１０又は図１１を参照すると、ストレーナ８は、上面を開口し、外周を金網８１などで形成している。又、ストレーナ８は、底面を多孔板８２で構成している。更に、ストレーナ８は、Ｕ字状の吊り取っ手８３を上部に設けている。【００３１】
図１０又は図１１を参照して、濾過室Ｒｂの流入口１Ｋｂと濾過室Ｒｂの流出口２Ｋｂを閉鎖した状態では、上流Ｓｕ側から流入した流体は、濾過室Ｒａに配置されたストレーナ８の上面から内部に流通し、ストレーナ８の内部で異物が捕集された後に、下流Ｓｄ側に流出できる。そして、異物が捕集された流体を冷却媒体として、例えば、復水器に供給できる。【００３２】
図１０又は図１１を参照して、濾過室Ｒａに流体が通水中に、上流Ｓｕ側の水圧と下流Ｓｄ側の差圧が生じたときには、濾過室Ｒａに配置されたストレーナ８に目詰まりが生じている、及び、ストレーナ８の底部に異物が生じているので、上流側弁体３及び下流側弁体４を濾過室Ｒａ側に移動し、濾過室Ｒｂ側で異物を濾過する。そして、濾過室Ｒｂ側で異物を濾過している間に、濾過室Ｒａの内部に配置したストレーナ８に残留した異物を除去している。【００３３】
図１０又は図１１を参照して、濾過室Ｒａの内部に配置したストレーナ８に残留した異物を除去する場合には、従来は、トップカバー１４ａをケーシング本体１１から取り外し（図１２参照）、天井クレーン又はチェーンブロックなどを用いて、濾過室Ｒａの内部に配置したストレーナ８を吊り上げて、異物を除去していた。【００３４】
しかし、天井クレーン又はチェーンブロックなど重機を用いた、異物の除去作業は、作業工程が多く、作業費用も嵩むという問題があった。ストレーナに残留した異物を除去する場合に、作業工程を低減でき、かつ、作業費用を低減できる、ダブルストレーナ型濾過機が求められていた。そして、以上のことが本発明の課題といってよい。【００３５】
本発明は、このような課題に鑑みてなされたものであり、一方のストレーナで異物を濾過しているときは、他方のストレーナを整備できる、ダブルストレーナ型濾過機であって、他方のストレーナに残留した異物を容易に除去できる、ダブルストレーナ型濾過機を提供することを目的とする。
【課題を解決するための手段】
【００３６】
本発明者は、ストレーナの底部に排水管を接続し、ストレーナから異物を回収可能にすると共に、ストレーナの外周から内部に向かって逆洗可能にすることで、ストレーナに残留した異物を容易に除去できると考え、これに基づいて、以下のような新たなダブルストレーナ型濾過機を発明するに至った。【００３７】
（１）本発明によるダブルストレーナ型濾過機は、流体を上流側から導水可能に一端部を開口し、流体を下流側へ流出容易に他端部を開口し、隔壁で仕切った一対の濾過室を並列状態で内部に形成したケーシングと、前記濾過室の内部に配置され、上流側から流体を濾過して下流側に流出させるストレーナと、一対の前記濾過室の流入口を択一的に閉鎖又は開放でき、一対の前記濾過室の流入口の間を移動自在な上流側弁体と、一対の前記濾過室の流出口を択一的に閉鎖又は開放でき、一対の前記濾過室の流出口の間を移動自在な下流側弁体と、前記上流側弁体を移動させる第１ねじ送り機構と、前記下流側弁体を移動させる第２ねじ送り機構と、前記上流側弁体と前記下流側弁体を同期して移動させる状態、又は、前記上流側弁体と前記下流側弁体を互いに独立して移動させる状態に切り換え可能に、前記第１ねじ送り機構と前記第２ねじ送り機構の間に配置された切り換え機構と、一対の濾過室の底部に配置された一組の排水管と、前記排水管の経路途上に配置され、前記濾過室から流体を排出する状態と前記濾過室から流体を排出することを阻止する状態とに開閉できる仕切り弁と、を備え、前記上流側弁体と下流側弁体を互いに独立して移動させる状態では、一方の前記濾過室の流入口を閉鎖し、一方の前記濾過室の流出口を部分的に開放し、他方の前記濾過室の流出口から流体を一方の前記濾過室に流入させることで、一方の前記濾過室に配置された前記ストレーナを逆洗できる。【００３８】
（２）前記ストレーナを逆洗している一方の前記濾過室は、一方の前記排水管の仕切り弁を開き、前記ストレーナを通水している他方の前記濾過室は、他方の前記排水管の仕切り弁を閉じていることが好ましい。【００３９】
（３）前記排水管から排出された流体に含まれる異物のみを回収できる回収籠を前記排水管の先端部に配置していることが好ましい。【００４０】
（４）前記ストレーナは、上面に開口し、流体を導水する導水開口と、外周を形成し、流体に含まれる異物を捕集する金網と、底面を形成する多孔板と、前記多孔板の底部の下方に配置され、前記多孔板の中央開口と対向している受皿と、を有していることが好ましい。
【発明の効果】
【００４１】
本発明によるダブルストレーナ型濾過機は、上流側弁体と下流側弁体を互いに独立して移動させる状態では、一方の濾過室の流入口を閉鎖し、一方の濾過室の流出口を部分的に開放し、他方の濾過室の流出口から流体を一方の濾過室に流入させることで、一方の濾過室に配置されたストレーナを逆洗できる。これにより、ストレーナをケーシングから吊り上げることなく、ストレーナに残留した異物を容易に除去できる。
【図面の簡単な説明】
【００４２】
【図１】本発明の一実施形態によるダブルストレーナ型濾過機の構成を示す平面図であり、要部を横断面図で示している。
【図２】前記実施形態によるダブルストレーナ型濾過機の構成を示す左側面図であり、要部を縦断面図で示している。
【図３】前記実施形態によるダブルストレーナ型濾過機の構成を示す正面図である。
【図４】前記実施形態によるダブルストレーナ型濾過機に備わるストレーナの構成を示す正面図である。
【図５】図４のＡ−Ａ矢視断面図である。
【図６】前記実施形態によるダブルストレーナ型濾過機の構成を示す部分正面図であり、下流側弁体が一方の濾過室の流出口を開放し、他方の濾過室の流出口を閉じた状態図である。
【図７】前記実施形態によるダブルストレーナ型濾過機の構成を示す部分正面図であり、下流側弁体が一方の濾過室の流出口を部分的に開放し、他方の濾過室の流出口を略開放した状態図である。
【図８】前記実施形態によるダブルストレーナ型濾過機に備わる切り換え機構を拡大した正面図であり、一方の連接棒と他方の連接棒の連結を解除した状態図である。
【図９】前記実施形態によるダブルストレーナ型濾過機に備わる切り換え機構を拡大した正面図であり、一方の連接棒と他方の連接棒を連結した状態図である。
【図１０】従来技術によるダブルストレーナ型濾過機の構成を示す平面図であり、要部を横断面図で示している。
【図１１】従来技術によるダブルストレーナ型濾過機の構成を示す左側面図であり、要部を縦断面図で示している。
【図１２】従来技術によるダブルストレーナ型濾過機の構成を示す正面図である。
【発明を実施するための形態】
【００４３】
以下、図面を参照して本発明を実施するための形態を説明する。
［ダブルストレーナ型濾過機の構成］
最初に、本発明の一実施形態によるダブルストレーナ型濾過機の構成を説明する。なお、従来技術で付した符号と同じ符号を有する構成品は、その作用を同じにするので、以下説明を省略することがある。
【００４４】
図１から図３を参照すると、本発明の一実施形態によるダブルストレーナ型濾過機（以下、濾過機と略称する）１０は、ケーシング１と一対の截頭円筒状のストレーナ２・２を備えている。ケーシング１は、ケーシング本体１１、上流側ボンネット１２、及び、下流側ボンネット１３を含んでいる。又、ケーシング１は、一対の円盤状のトップカバー１４ａ・１４ｂと一対の円筒状のボトムカバー１５ａ・１５ｂを含んでいる。
【００４５】
（ケーシングの構成）
図１又は図２を参照すると、ケーシング本体１１は、隔壁Ｂｈで仕切った一対の濾過室Ｒａ・Ｒｂを並列状態で内部に形成している。そして、これらの濾過室Ｒａ・Ｒｂには、ストレーナ２・２を設置している。
【００４６】
図１又は図２を参照すると、上流側ボンネット１２は、ケーシング本体１１の一方の端面に取り付けられている。上流側ボンネット１２は、上流Ｓｕ側から流通する海水などの流体を導水容易に、内部を開口している。そして、上流側ボンネット１２は、上流Ｓｕ側から導水した流体を濾過室Ｒａ又は濾過室Ｒｂに流通している。
【００４７】
図１から図３を参照すると、下流側ボンネット１３は、ケーシング本体１１の他方の端面に取り付けている。下流側ボンネット１３は、濾過室Ｒａ又は濾過室Ｒｂから流通する海水などの流体を流出容易に、内部を開口している。そして、下流側ボンネット１３は、濾過室Ｒａ又は濾過室Ｒｂから流通した流体が異物を捕集された状態で流体を下流Ｓｄ側に流出できる。
【００４８】
このように、図１から図３を参照すると、ケーシング１は、流体を上流側から導水可能に一端部を開口し、流体を下流側へ流出容易に他端部を開口している。又、ケーシング１は、隔壁Ｂｈで仕切った一対の濾過室Ｒａ・Ｒｂを並列状態で内部に形成している。
【００４９】
図１から図３を参照すると、一対のトップカバー１４ａ・１４ｂは、ケーシング本体１１の上面に着脱自在に固定されている。一方のトップカバー１４ａは、濾過室Ｒａの上部の開口を密閉している。一方のトップカバー１４ａをケーシング本体１１から取り外すと、濾過室Ｒａに設置したストレーナ２を取り出すことができる。そして、ストレーナ２に残留した異物を除去できる。
【００５０】
しかし、図１又は図２を参照すると、濾過室Ｒａに設置したストレーナ２は、後述するように、逆洗することで、ストレーナ２に残留した異物を除去できるので、一方のトップカバー１４ａの取り外しを多くは不要としている。
【００５１】
図１から図３を参照すると、他方のトップカバー１４ｂは、濾過室Ｒｂの上部の開口を密閉している。他方のトップカバー１４ｂをケーシング本体１１から取り外すと、濾過室Ｒｂに設置したストレーナ２を取り出すことができる。そして、ストレーナ２に残留した異物を除去できる。
【００５２】
しかし、図１又は図２を参照すると、濾過室Ｒｂに設置したストレーナ２は、後述するように、逆洗することで、ストレーナ２に残留した異物を除去できるので、他方のトップカバー１４ｂの取り外しを多くは不要としている。
【００５３】
図２又は図３を参照すると、一対のボトムカバー１５ａ・１５ｂは、ケーシング本体１１の底面に固定されている。一対のボトムカバー１５ａ・１５ｂは、濾過室Ｒａ・Ｒｂの一部を構成している。一対のボトムカバー１５ａ・１５ｂは、底板１５２を底部にそれぞれ取り付けている。底板１５２は、排出口１５ｖに連通する穴を中央部に開口している。
【００５４】
（排出菅の構成）
図２又は図３を参照すると、一対の濾過室Ｒａ・Ｒｂの底部には、一組の排水管１８・１８を配置している。排水管１８の基端部は、底板１５２固定している。排水管１８の経路途上には、排水管１８の流路を開閉自在な仕切り弁１８ｖを配置している。
【００５５】
図２又は図３を参照して、一方の仕切り弁１８ｖを開くと、濾過室Ｒａの底部に滞留した貝類、藻類などの異物を流体と共に排出できる。一方の仕切り弁１８ｖを閉じると、濾過室Ｒａから流体を排出することを阻止できる。他方の仕切り弁１８ｖを開くと、濾過室Ｒｂの底部に滞留した貝類、藻類などの異物を流体と共に排出できる。他方の仕切り弁１８ｖを閉じると、濾過室Ｒｂから流体を排出することを阻止できる。
【００５６】
図２又は図３を参照すると、排水管１８の先端部には、回収籠１９を配置している。回収籠１９は、排水管１８から排出された流体に含まれる異物を回収できる。
【００５７】
（上流側弁体及び下流側弁体の構成）
図１又は図２を参照すると、濾過機１０は、上流側弁体３と下流側弁体４を更に備えている。上流側弁体３は、上流側ボンネット１２とケーシング本体１１の一方の端面の間に配置されている。上流側弁体３は、第１ねじ送り機構１Ｍｓにより、濾過室Ｒａと濾過室Ｒｂの間を往復動可能に配置されている。
【００５８】
図１又は図２を参照すると、下流側弁体４は、下流側ボンネット１３とケーシング本体１１の他方の端面の間に配置されている。下流側弁体４は、第２ねじ送り機構２Ｍｓにより、濾過室Ｒａと濾過室Ｒｂの間を往復動可能に配置されている。
【００５９】
（第１ねじ送り機構及び第２ねじ送り機構の構成）
図１から図１３を参照すると、濾過機１０は、第１ねじ送り機構１Ｍｓと第２ねじ送り機構２Ｍｓを備えている。第１ねじ送り機構１Ｍｓは、濾過室Ｒａと濾過室Ｒｂの間で、上流側弁体３を往復動できる。第２ねじ送り機構２Ｍｓは、濾過室Ｒａと濾過室Ｒｂの間で、下流側弁体４を往復動できる。
【００６０】
図１又は図２を参照すると、第１ねじ送り機構１Ｍｓは、送りねじＳｆ、歯車箱Ｂｇ、及び、ハンドルＨｄを備えている。送りねじＳｆは、その両端部が上流側ボンネット１２に回転自在に保持されている。又、送りねじＳｆは、上流側弁体３の背面側に突出した雌ねじ部４１と螺合している。送りねじＳｆを回転すると、上流側弁体３を送りねじＳｆに沿って移動できる。
【００６１】
図１から図３を参照すると、第２ねじ送り機構２Ｍｓは、送りねじＳｆ、歯車箱Ｂｇ、及び、ハンドルＨｄを備えている。送りねじＳｆは、その両端部が下流側ボンネット１３に回転自在に保持されている。又、送りねじＳｆは、下流側弁体４の背面側に突出した雌ねじ部４１と螺合している。送りねじＳｆを回転すると、下流側弁体４を送りねじＳｆに沿って移動できる。
【００６２】
（切り換え機構の構成）
次に、実施形態による切り換え機構５の構成を説明する。図１を参照すると、濾過機１０は、切り換え機構５を更に備えている。切り換え機構５は、第１ねじ送り機構１Ｍｓの歯車箱Ｂｇと第２ねじ送り機構２Ｍｓの歯車箱Ｂｇの間に配置されている。
【００６３】
図１又は図８及び図９を参照すると、切り換え機構５は、第１連接棒５１、第２連接棒５２、及び、蝶ボルト５ｂを備えている。第１連接棒５１は、その一端部が一方のハンドルＨｄの中心軸と連結している。一方のハンドルＨｄを回転すると、その回転を第１連接棒５１に伝動できる。
【００６４】
図１又は図８及び図９を参照すると、第２連接棒５２は、その他端部が他方のハンドルＨｄの中心軸と連結している。他方のハンドルＨｄを回転すると、その回転を第２連接棒５２に伝動できる。
【００６５】
図１又は図８及び図９を参照すると、第１連接棒５１は、太径の継手部５１ｊを他端部に有している。継手部５１ｊは、第２連接棒５２の一端部を導入して嵌合できる穴５１ｈを開口している。
【００６６】
図１又は図８を参照して、継手部５１ｊに第２連接棒５２の一端部を嵌合して、第１連接棒５１と第２連接棒５２を同軸上に配置した状態では、継手部５１ｊと第２連接棒５２の一端部が互いに空転自在に連結している。これにより、一方のハンドルＨｄと他方のハンドルＨｄを互いに独立して回転できる。つまり、上流側弁体３と下流側弁体４を互いに独立して移動できる。
【００６７】
図８又は図９を参照すると、継手部５１ｊは、蝶ボルト５ｂのねじ部５ｍｓが挿通自在な挿通穴を外周方向に開口している。又、継手部５１ｊは、蝶ボルト５ｂのねじ部５ｍｓと螺合できる雌ねじ部を前記挿通穴と同軸上に設けている。一方、第２連接棒５２の一端部には、蝶ボルト５ｂのねじ部５ｍｓが挿通自在な挿通穴を外周方向に開口している。
【００６８】
図９を参照して、継手部５１ｊの挿通穴と第２連接棒５２の一端部の挿通穴を一致させた状態で、蝶ボルト５ｂのねじ部５ｍｓを継手部５１ｊの雌ねじ部に締結することで、第１連接棒５１と第２連接棒５２をそれらの軸回りに一体に回転できる。つまり、上流側弁体３と下流側弁体４を同期して移動できる。
【００６９】
このように、図１又は図８及び図９を参照すると、切り換え機構５は、上流側弁体３と下流側弁体４を同期して移動させる状態、又は、上流側弁体３と下流側弁体４を互いに独立して移動させる状態に切り換えることができる。
【００７０】
（ストレーナの構成）
次に、実施形態によるストレーナ２の構成を説明する。図２又は図４及び図５を参照すると、ストレーナ２は、導水開口２１と金網２２を有している。導水開口２１は、ストレーナ２の上面に開口し、流体を導水できる。金網２２は、ストレーナ２の外周を形成し、流体に含まれる異物を捕集できる。
【００７１】
図２又は図４及び図５を参照すると、ストレーナ２は、円形の多孔板２３とハット形状の受皿２４を有している。多孔板２３は、比重が比較的大きい異物が通過できる複数の穴を開口している（図５参照）。受皿２４は、多孔板２３の底部の下方に配置されている。受皿２４は、多孔板２３の中央開口２３ｈと対向している。
【００７２】
図２又は図４を参照すると、ストレーナ２は、Ｕ字状のばね取っ手２５を上部に設けている。ストレーナ２をボトムカバー１５ａに設置し、トップカバー１４ａをケーシング本体１１に固定することで、ばね取っ手２５のばね作用により、ストレーナ２をボトムカバー１５ａの底部に押圧できる。同様に、ストレーナ２をボトムカバー１５ｂに設置し、トップカバー１４ｂをケーシング本体１１に固定することで、ばね取っ手２５のばね作用により、ストレーナ２をボトムカバー１５ｂの底部に押圧できる。
【００７３】
［ダブルストレーナ型濾過機の作用］
次に、実施形態によるダブルストレーナ型濾過機１０の作用及び効果を説明する。
【００７４】
図１又は図２を参照して、濾過室Ｒａに流体が通水中に、上流Ｓｕ側の水圧と下流Ｓｄ側の差圧が生じたときには、濾過室Ｒａに配置されたストレーナ２に目詰まりが生じている、及び、ストレーナ２の底部に異物が生じているので、上流側弁体３及び下流側弁体４を濾過室Ｒａ側に移動し、濾過室Ｒｂ側で異物を濾過する。そして、濾過室Ｒｂ側で異物を濾過している間に、濾過室Ｒａの内部に配置したストレーナ２に残留した異物を除去する。
【００７５】
図２を参照すると、濾過室Ｒａの内部に配置したストレーナ２に残留した異物を除去するためには、上流側弁体３と下流側弁体４を互いに独立して移動させる状態にするために（図１又は図２参照）、第１連接棒５１と第２連接棒５２の連結を解除する（図８参照）。
【００７６】
次に、図１又は図２を参照して、一方のハンドルＨｄを回転して、一方の濾過室Ｒａの流入口１Ｋａを閉鎖する。又、他方のハンドルＨｄを回転して、一方の濾過室Ｒａの流出口２Ｋａを部分的に開放する（図１又は図７参照）。
【００７７】
図１又は図７に示した状態では、他方の濾過室Ｒｂの流出口２Ｋｂから下流Ｓｄ側に流出する流体の一部が一方の濾過室Ｒａに流入することで（図１参照）、一方の濾過室Ｒａに配置されたストレーナ２を逆洗できる。これにより、一方の濾過室Ｒａに配置されたストレーナ２の外周に付着した異物を除去できる。
【００７８】
図１から図９を参照すると、実施形態による濾過機１０は、上流側弁体３と下流側弁体４を互いに独立して移動させる状態では、一方の濾過室Ｒａの流入口１Ｋａを閉鎖し、一方の濾過室Ｒａの流出口２Ｋａを部分的に開放し、他方の濾過室Ｒｂの流出口２Ｋｂから流体を一方の濾過室Ｒａに流入させることで、一方の濾過室Ｒａに配置されたストレーナ２を逆洗できる。これにより、ストレーナ２をケーシング１から吊り上げることなく、ストレーナ２に残留した異物を容易に除去できる。
【００７９】
図２又は図３を参照して、ストレーナ２を逆洗している一方の濾過室Ｒａは、一方の排水管１８の仕切り弁１８ｖを開き、ストレーナ２を通水している他方の濾過室Ｒｂは、他方の排水管１８の仕切り弁１８ｖを閉じていることが好ましい。これにより、ストレーナ２を逆洗している一方の濾過室Ｒａから異物を含む流体を排出できる。
【００８０】
又、図２又は図３を参照すると、実施形態による濾過機１０は、排水管１８の先端部に回収籠１９を配置しているので、排水管１８から排出された流体に含まれる異物のみを回収できる。
【００８１】
本発明によるダブルストレーナ型濾過機は、次のような効果が期待できる。
（１）ストレーナの洗浄費用を低減できる。
（２）ストレーナの洗浄工事を発注する回数を低減できる。
（３）ストレーナの洗浄作業を内部のオペレータで実施でき、時間の制約を受けずにストレーナの洗浄作業を実施できる。
【符号の説明】
【００８２】
１  ケーシング
１Ｋａ  濾過室Ｒａの流入口
１Ｋｂ  濾過室Ｒｂの流入口
１Ｍｓ  第１ねじ送り機構
２・２  一対のストレーナ
２Ｋａ  濾過室Ｒａの流出口
２Ｋｂ  濾過室Ｒｂの流出口
２Ｍｓ  第２ねじ送り機構
３  上流側弁体
４  下流側弁体
５  切り換え機構
１０  濾過機（ダブルストレーナ型濾過機）
１８・１８  一組の排水管
１８ｖ  仕切り弁
Ｂｈ  隔壁
Ｒａ・Ｒｂ  濾過室
Ｓｄ  下流
Ｓｕ  上流
【図１】
2020021708.tif 000003
【図２】
2020021708.tif 000004
【図３】
2020021708.tif 000005
【図４】
2020021708.tif 000006
【図５】
2020021708.tif 000007
【図６】
2020021708.tif 000008
【図７】
2020021708.tif 000009
【図８】
2020021708.tif 000010
【図９】
2020021708.tif 000011
【図１０】
2020021708.tif 000012
【図１１】
2020021708.tif 000013
【図１２】
2020021708.tif 000014
【国際調査報告】
2020021708.tif 000015
2020021708.tif 000016
2020021708.tif 000017
2020021708.tif 000018